(57)【特許請求の範囲】
【請求項１】
床面上に立設した、パネル面が左右方向を向く間仕切パネルの前面および後面に天板を取付けて構成した間仕切構成体において、
前記間仕切パネルの一方の側端部に、前記天板の高さより高寸とした、パネル面が前後方向を向く側部パネルの内側面を、その内側面が前記天板の側端面に当接または近接するようにして取付け、かつ前記側部パネルの内側面における前記天板より上方の部分にディスプレイを取付けたことを特徴とする間仕切構成体。
【請求項２】
間仕切パネルの高さを、天板の高さと同一か、またはそれより低くした請求項１記載の間仕切構成体。
【請求項３】
側部パネルの前後方向の幅を、前方の天板の前縁から後方の天板の後縁までの距離より大とし、前後の天板の側端面全体が側部パネルにより覆われるようにした請求項１または２記載の間仕切構成体。
【請求項４】
側部パネルの内側面に、前後方向を向くあり溝を設け、このあり溝に係合する係合手段をもって、ディスプレイを側部パネルの内側面に取付けた請求項１〜３のいずれかに記載の間仕切構成体。
【請求項５】
間仕切パネルの他方の側端部に、前方および後方を向く支持部材を取付け、この支持部材の外側面に設けた外側方を向く支持アームにより、側部天板を、前記間仕切パネルの前面または後面に取付けた天板の側端面に当接または近接させて支持させた請求項１〜４のいずれかに記載の間仕切構成体。
【発明の詳細な説明】
【技術分野】
【０００１】
本発明は、オフィス等の執務空間において作業用平面とディスプレイ等の表示面とを提供するための間仕切構成体に関する。
【背景技術】
【０００２】
オフィス等の執務空間において、空間内を複数の小空間に区分するとともに、使用者に作業用平面を提供するための間仕切構成体としては、間仕切パネルの片面または両側面にブラケットを突設し、その上に作業用平面を形成する天板を支持させたものや(例えば特許文献１参照)、横長の支持体上に、複数の天板を前後および左右に並べて連結したもの(例えば特許文献２参照)等が一般的である。
また、多人数で会議やミーティングを行う場合には、一般的に会議用テーブルが用いられている(例えば特許文献３参照)。
さらに、近年の会議形態として、カメラ、通信回線、およびディスプレイ等を用いて、遠隔地にある複数箇所で、同時に会議を行うテレビ会議システムが多く実施されるようになっているが、このシステムにおいて使用されるものとして、ディスプレイを装着した壁体と、テーブルとを組み合わせたものがある(例えば特許文献４および５参照)。
【先行技術文献】
【特許文献】
【０００３】
【特許文献１】特開２００６−２０４６７９号公報
【特許文献２】特開２００９−２６１８２１号公報
【特許文献３】特開２００９−１６５７０２号公報
【特許文献４】特開２００６−１２２６４５号公報
【特許文献５】特許第４５４７５７０号公報
【発明の概要】
【発明が解決しようとする課題】
【０００４】
特許文献１および２に記載されているものは、複数の作業者が個別作業を行う場合には適しているが、間仕切パネルによって使用者の視界が遮られることになるため、多人数で会議やミーティングを行う場合には適していない。
特許文献３に記載されている会議用テーブルは、会議専用什器として構成されているため、使用者の用途に応じて態様を変更することはできず、使い勝手が悪い。
特許文献４および５に記載されているものは、テレビ会議専用の什器として構成されており、テーブルの長さを変更することができないだけでなく、他の用途に適用させることができず、使い勝手が悪い。
【０００５】
本発明は、従来の技術が有する上記のような問題点に鑑みてなされたもので、構成部材を組み替えるだけで、使用者の用途に応じて、「テレビ会議用什器」、「個別作業用什器」、「打合せ用什器」、および「間仕切用什器」等に変更することができ、特に、「テレビ会議用什器」として使用する際の使い勝手をよくした間仕切構成体を提供することを目的としている。
【課題を解決するための手段】
【０００６】
本発明によると、上記課題は、次のようにして解決される。
（１）床面上に立設した、パネル面が左右方向を向く間仕切パネルの前面および後面に天板を取付けて構成した間仕切構成体において、前記間仕切パネルの一方の側端部に、前記天板の高さより高寸とした、パネル面が前後方向を向く側部パネルの内側面を、その内側面が前記天板の側端面に当接または近接するようにして取付け、かつ前記側部パネルの内側面における前記天板より上方の部分にディスプレイを取付ける。
【０００７】
このような構成とすると、間仕切パネルの前面および後面に天板を取付けて構成した間仕切構成体の基本構成の一方の側端に、側部パネルを連結し、それにディスプレイを取付けるだけで、「テレビ会議用什器」として使用することができるとともに、基本構成の他方の側端に間仕切パネルおよび天板を順次連結することにより、テレビ会議に参加する人数に合わせて、席を適宜増設することができ、テレビ会議用什器としての使い勝手がよい。
また、側部パネル等を外して、複数の間仕切パネルと天板とを左右方向に連結することにより、「個別作業用什器」に変更することができるとともに、その際の間仕切パネルの高さを低くすることにより、「打合せ用什器」として使用することができ、さらに、間仕切パネルから天板を外すことにより、「間仕切用什器」に変更することができ、「テレビ会議用什器」としてだけでなく、多目的に利用することができる。
【０００８】
（２）上記(１)項において、間仕切パネルの高さを、天板の高さと同一か、またはそれより低くする。
【０００９】
このような構成とすると、天板の上方に間仕切パネルが突出することがなくなり、使用者の目線を遮るものがなくなるので、「テレビ会議用什器」や「打合せ用什器」としての使い勝手をよりよくすることができる。
【００１０】
（３）上記(１)または(２)項において、側部パネルの前後方向の幅を、前方の天板の前縁から後方の天板の後縁までの距離より大とし、前後の天板の側端面全体が側部パネルにより覆われるようにする。
【００１１】
このような構成とすると、前後の天板の側端面全体が側部パネルにより覆われるので、什器外側面の体裁をよくすることができる。また、側部パネルにディスプレイという重量物を取付けた場合においても、間仕切構成体全体を安定的に支持することができる。
【００１２】
（４）上記(１)〜(３)項のいずれかにおいて、側部パネルの内側面に、前後方向を向くあり溝を設け、このあり溝に係合する係合手段をもって、ディスプレイを側部パネルの内側面に取付ける。
【００１３】
このような構成とすると、ディスプレイを簡単かつ確実に側部パネルに取付けることができるとともに、ディスプレイを側部パネルから外した後の側部パネルの体裁をよくすることができる。
【００１４】
（５）上記(１)〜(４)項のいずれかにおいて、間仕切パネルの他方の側端部に、前方および後方を向く支持部材を取付け、この支持部材の外側面に設けた外側方を向く支持アームにより、側部天板を、前記間仕切パネルの前面または後面に取付けた天板の側端面に当接または近接させて支持させる。
【００１５】
このような構成とすると、間仕切パネルの他方の側端に、側部天板を簡単かつ安定よく取付けることができ、間仕切パネルの一方の側端に設けた側部パネルと合わせて、「テレビ会議用什器」としての使い勝手をよりよくすることができる。
また、間仕切パネルの他方の側端から側部天板等を外して、複数の間仕切パネルと天板とを順次連結することにより、テレビ会議に参加する人数に合わせて、席を適宜増設することができる。
【発明の効果】
【００１６】
本発明によると、構成部材を組み替えるだけで、使用者の用途に応じて、「テレビ会議用什器」、「個別作業用什器」、「打合せ用什器」、および「間仕切用什器」等に変更することができ、特に、「テレビ会議用什器」として使用する際の使い勝手をよくした間仕切構成体を提供することができる。
【図面の簡単な説明】
【００１７】
【図１】本発明の間仕切構成体の一実施形態の斜視図である。
【図２】同じく、分解斜視図である。
【図３】間仕切構成体を組み付けた状態での図２のIII−III線に沿う拡大横断平面図である。
【図４】図１のIV−IV線断面図である。
【図５】図４のV−V線拡大横断平面図である。
【発明を実施するための形態】
【００１８】
以下、本発明の一実施形態を、添付図面に基づいて説明する。
図１および図２に示すように、この間仕切構成体は、「テレビ会議用什器」としたもので、床面上に立設した左右方向を向く左右２個の間仕切パネル(ローパーティション)１、１の側端同士を互いに結合したもののそれぞれの前面および後面に、基本となる横長の天板２、２を配設し、間仕切パネル１、１の連結体の一方の側端に、天板２の高さより高寸とした前後方向を向く側部パネル(ハイパーティション)３の中間部を、その内側面が天板２、２の側端面に当接または近接するようにして取付け、側部パネル３の内側面における天板２より上方の部分にディスプレイ４を取付け、さらに、間仕切パネル１、１の連結体の他方の側端に、前後方向を向く側部天板５を、天板２、２の側端面に当接または近接させて取付けたものよりなっている。
【００１９】
各間仕切パネル１は、上下部の前後両面に左右方向を向くあり溝６、６を有するレール部７ａ、７ａが設けられた方形の枠体７と、この枠体７におけるレール部７ａを除く部分の前後両面に装着したパネル８とを備え、枠体７の下端両側部に設けた１対の高さ調節用のアジャスタボルト９、９をもって接床している。
【００２０】
側部パネル３は、上下部の左右両面に前後方向を向くあり溝１０、１０を有するレール部１１ａ、１１ａが設けられた方形の枠体１１と、この枠体１１における上下方向の中間部の前後両面に架設され、かつ間仕切パネル１における上方のあり溝６と等高の前後方向を向くあり溝１２を有する中間レール１３と、枠体１１におけるレール部１１ａ、１１ａと中間レール１３とを除く部分の前後両面に着脱自在に装着したパネル１４、１５とを備え、枠体１１の下端両側部に設けた１対の高さ調節用のアジャスタボルト１６、１６をもって接床している。
【００２１】
また、側部パネル３の前後方向の幅は、前方の天板２の前縁から後方の天板２の後縁までの距離より大とし、前後の天板２、２の側端面全体が側部パネルにより覆われるようにしてある。
このような構成とすることにより、前後の天板２、２の側端面全体が側部パネル３により覆われるので、什器外側面の体裁をよくすることができる。
【００２２】
間仕切パネル１、１の連結体の左側端と、側部パネル３の中間部との結合には、それぞれのあり溝６、１０、１２と、図３に拡大して示すような、互いに直角をなす取付片１７ａ、１７ｂの上下面を直角二等辺三角形の上下１対の水平片１７ｃ、１７ｃにより閉塞したものよりなる結合部材１７、１７と、板ナット１８と、ボルト１９とを用いている。
【００２３】
すなわち、図１〜図３に示すように、側部パネル３の左右方向の中間部に、間仕切パネル１、１の連結体の左側端を突き当てて、その前後の角隅部における間仕切パネル１の上方のあり溝６と中間レール１３のあり溝１２、または間仕切パネル１の下方のあり溝６と側部パネル３の下方のあり溝１０と等高の位置に、結合部材１７の直角の角部をそれぞれ突き当て、各あり溝６、１０、１２における開口部６ａ、１０ａ、１２ａの上下幅より上下幅を大とした奥部６ｂ、１０ｂ、１２ｂに、板ナット１８を、それぞれのあり溝６、１０、１２の長手方向に摺動可能として、また開口部６ａ、１０ａ、１２ａからは脱落しないようにして嵌合し、各板ナット１８と、結合部材１７における対向する取付片１７ａ、１７ｂとを、開口部６ａ、１０ａ、１２ａに挿通したボルト１９をもって締着固定してある。
【００２４】
このような構成とすると、間仕切パネル１と側部パネル３とを、簡単かつ強固に、しかも体裁よく結合することができる。
【００２５】
間仕切パネル１、１の連結体の前後に配設した天板２の左端と、側部パネル３の中間部との結合には、図２および図３に示すように、側部パネル３における中間レール１３のあり溝１２と、ナット本体２０ａの両端に前後１対の上向き鉤片２０ｂ、２０ｂを連設した鉤形ナット２０と、前後方向を向くアングル材状の帯ブラケット２１と、前後方向を向く補強板２２とを用いている。
【００２６】
すなわち、鉤形ナット２０の上向き鉤片２０ｂ、２０ｂを側部パネル３における中間レール１３のあり溝１２の開口部１２ａより回転させつつ、あり溝１２の奥部１２ｂに嵌合することにより、複数の鉤形ナット２０を、そのナット本体２０ａがあり溝１２の開口部１２ａより露呈するようにしてあり溝１２に装着し、各鉤形ナット２０に、帯ブラケット２１の垂下片２１ａおよび補強板２２に設けた取付孔２３に挿通したボルト２４を螺合して締付けることにより、帯ブラケット２１および補強板２２を側部パネル３に固着し、さらに、帯ブラケット２１の水平片２１ｂ上に天板２の側端部を載置して、水平片２１ｂの下方より、ボルト２５をもって天板２を水平片２１ｂに固着してある。
【００２７】
このような構成とすると、側部パネル３と各天板２とを、簡単かつ強固に、しかも体裁よく結合することができる。
なお、取付孔２３は、帯ブラケット２１の垂下片２１ａおよび補強板２２のそれぞれ上下複数段設けておき、それらを選択してボルト２５を挿通することにより、天板２の取り付け高さを選択できるようにするのが望ましい。
【００２８】
左右の間仕切パネル１、１の結合は、パネル８を外した状態で、左右の枠体７、７同士をボルト・ナット(図示略)をもって固定することによって行ってもよいが、左右の枠体７、７の側端同士を互いに当接させた状態で、その前後面より、図２に示すように、側面視倒立Ｌ字状をなす中間脚２６、２６を、左右の間仕切パネル１、１に跨るように当接させてボルト(図示略)締めするのが好ましい。
【００２９】
中間脚２６の上端に形成された前後方向を向く水平腕２６ａの上面には、左右の天板２、２の側端同士が互いに突き合わせた状態で載置され、下方からボルト(図示略)締めすることによって固着されている。
【００３０】
間仕切パネル１、１の連結体の右側端部には、前後方向を向く支持部材２７と、上端が支持部材２７に固着され、かつ下端に高さ調節用のアジャスタボルト２８が設けられた前後１対の脚杆２９、２９と、両脚杆２９、２９の下部同士を連結する前後方向を向く下部連結杆３０とからなる側部フレーム３１における前後方向の中間部が結合されている。
【００３１】
この結合に際して、間仕切パネル１と支持部材２７および下部連結杆３０とを、上記と同じ間仕切パネル１におけるあり溝６と、結合部材１７、１７と、板ナット１８と、ボルト１９とを用いている。
【００３２】
すなわち、図４および図５に示すように、側部フレーム３１における支持部材２７と下部連結杆３０との内面中央部に、間仕切パネル１の外側端を突き当てて、その前後の角隅部における間仕切パネル１の各あり溝６と等高の位置に、結合部材１７の直角の角部をそれぞれ突き当て、間仕切パネル１の各あり溝６における開口部６ａの上下幅より上下幅を大とした奥部６ｂに、板ナット１８をあり溝６の長手方向に摺動可能として、また開口部６ａからは脱落しないようにして嵌合し、各板ナット１８と、結合部材１７における一方の取付片１７ａとを、開口部６ａに挿通したボルト１８をもって締着固定し、かつ結合部材１７における他方の取付片１７ｂを、別のボルト１８をもって、支持部材２７および下部連結杆３０の内側面に締着固定してある。
【００３３】
このような構成とすると、間仕切パネル１と側部フレーム３１とを、簡単かつ強固に、しかも体裁よく結合することができる。
【００３４】
支持部材２７における脚杆２９との結合部分の外側面と、脚杆２９の上部の外側面とにかけて、外側方を向く前後１対の支持アーム３２、３２の基端が固着されている。
各支持アーム３２は、水平の上面３２ａと、先端に向かって上向きに傾斜する下面３２ｂとを有する先細り形状をなし、その上面３２ａによって側部天板５を、片持ち状に、強固に安定よく支持しうるようになっている。
【００３５】
側部天板５は、その内側縁を最も外側の天板２、２の側端面に当接または近接させて、その天板２、２の側端部とともに支持部材２７上に載置し、かつ前後の支持アーム３２、３２上にも載置して、それらの下方よりボルト(図示略)締めすることにより、支持部材２７および支持アーム３２、３２に固着されている。
【００３６】
右方の天板２は、その右方の側端部が支持部材２７上に載置され、かつ左方の側端部が中間脚２６における水平腕２６ａの上面に載置され、それらの下方よりボルト(図示略)締めすることにより、支持部材２７および中間脚７に固着されている。
【００３７】
ディスプレイ４は、側部パネル３における上方のあり溝１０に、上端のフック３３を係止した上下方向を向く支持板３４の中間部または下部に取付けられている。
【００３８】
図４に示すように、間仕切パネル１を、すべての天板２および側部天板５の高さより低くしたことによって、間仕切パネル１の上面とすべての天板２および側部天板５との間に形成される空所３５を配線収容空間とし、その空所３５の上方を、左右方向に長い複数のカバー３６をもって覆うようにしてある。
【００３９】
各カバー３６は、縦断側面形状が下向コ字状なす本体部３６ａにおける上面の前後縁に、前後の天板２、２の対向縁上に載置されるようにした拡幅フランジ３６ｂを連設したものとしてある。
【００４０】
このような構成とすると、天板２および側部天板５の上方に間仕切パネル１が突出することがなくなり、使用者の目線を遮るものがなくなるので、「テレビ会議用什器」としての使い勝手をよりよくすることができる。
また、空所３６を配線収容空間として使用することができる。
【００４１】
なお、側部フレーム３１の外側面、および内側面における間仕切パネル１より前後の部分は、化粧パネルまたは側部カバーにより覆われているが、ここでは、それらの化粧パネル等の図示および説明は省略してある。
【００４２】
この実施形態は、以上のような構成としてあるので、間仕切パネル１、１の前面および後面に天板２を取付けて構成した間仕切構成体の基本構成の一方の側端に、側部パネル３を連結し、それにディスプレイ４を取付けるだけで、「テレビ会議用什器」として使用することができ、また基本構成の他方の側端に間仕切パネル１および天板２を順次連結することにより、テレビ会議に参加する人数に合わせて、席を適宜増設することができ、テレビ会議用什器としての使い勝手がよい。
【００４３】
また、側部パネル３等を外して、複数の間仕切パネル１と天板２とを左右方向に連結することにより、「個別作業用什器」に変更することができ、その際の間仕切パネル１の高さを低くすることにより、「打合せ用什器」として使用することができ、さらに、間仕切パネル１から天板２を外すことにより、「間仕切用什器」に変更することができ、「テレビ会議用什器」としてだけでなく、多目的に利用することができる。
【００４４】
さらに、間仕切パネル１における側部パネル３と反対側の側端に、側部天板５を簡単かつ安定よく取付けることができ、間仕切パネル１の一方の側端に設けた側部パネル３と合わせて、「テレビ会議用什器」としての使い勝手をよりよくすることができる。
【００４５】
本発明は、上記実施形態のみに限定されるものではなく、特許請求の範囲を逸脱しない範囲で、例えば次のような変形した態様での実施が可能である。
(１)  各天板２を、間仕切パネル１の前後面に設けたブラケット(図示略)等により、間仕切パネル１に直接取付ける。
(２)  間仕切パネル１、１の高さを、すべての天板２および側部天板５の高さと同一とし、間仕切パネル１、１の上端面を、すべての天板２および側部天板５の上面と整合させる。
(３)  間仕切パネル１、１の高さを、すべての天板２および側部天板５の高さより高く、かつディスプレイ４の下端より低くし、すべての天板２および側部天板５より上方に突出させる。
(４)  間仕切パネル１の一方の側端部に、天板２の高さより高寸とした前後方向を向く側部パネル３の中間部を、その内側面が天板２の側端面に近接するようにして取付ける。すなわち、間仕切パネル１の一方の側端部に、側部パネル３の中間部を、わずかに離間させて取り付ける。
(５)  複数の側部パネル３を前後方向に並べて結合し、その結合部分に跨るように、互いに隣接する側部パネル３、３の内側面に、間仕切パネル１の一方の側端部を取付ける。
【符号の説明】
【００４６】
１  間仕切パネル
２  天板
３  側部パネル
４  ディスプレイ
５  側部天板
６  あり溝
６ａ開口部
６ｂ奥部
７  枠体
７ａレール部
８  パネル
９  アジャスタボルト
１０  あり溝
１０ａ開口部
１０ｂ奥部
１１  枠体
１１ａレール部
１２  あり溝
１２ａ開口部
１２ｂ奥部
１３  中間レール
１４、１５  パネル
１６  アジャスタボルト
１７  結合部材
１７ａ、１７ｂ  取付片
１７ｃ水平片
１８  板ナット
１９  ボルト
２０  鉤形ナット
２０ａナット本体
２０ｂ上向き鉤片
２１  帯ブラケット
２１ａ垂下片
２１ｂ水平片
２２  補強板
２３  取付孔
２４、２５  ボルト
２６  中間脚
２６ａ水平腕
２７  支持部材
２８  アジャスタボルト
２９  脚杆
３０  下部連結杆
３１  側部フレーム
３２  支持アーム
３２ａ上面
３２ｂ下面
３３  フック
３４  支持板
３５  空所
３６  カバー
３６ａ本体部
３６ｂ拡幅フランジ
【図１】
0005784897.tif 000002
【図２】
0005784897.tif 000003
【図３】
0005784897.tif 000004
【図４】
0005784897.tif 000005
【図５】
0005784897.tif 000006